(57)【特許請求の範囲】
【請求項１】
第１の電源ラインと第２の電源ラインの少なくとも２つの電源ラインを介して電力を供給する電源装置と、
前記第１の電源ラインと前記第２の電源ラインがともに接続される基板と
を備え、
前記第１の電源ラインを介して、少なくとも制御装置のロジック回路に電力が供給され、
前記第２の電源ラインを介して、少なくとも前記制御装置によって制御される駆動装置に駆動電力が供給され、
前記基板の一面側には、前記第１の電源ラインの通電状態を示す第１のモニタランプと、前記第２の電源ラインの通電状態を示す第２のモニタランプが配設されており、
前記電源装置の電源切断直後に、蓄えた電荷の少なくとも一部を前記第１のモニタランプへ供給して前記第１のモニタランプの消灯を遅延させる第１の蓄電装置と、
前記電源装置の電源切断直後に、蓄えた電荷の少なくとも一部を前記第２のモニタランプへ供給して前記第２のモニタランプの消灯を遅延させる第２の蓄電装置と
を備え、
前記第２の蓄電装置は前記第１の蓄電装置よりも放電時間が長く、前記電源装置の電源切断直後に、前記第２の蓄電装置が、前記第１の蓄電装置よりも長時間放電することにより、前記第２のモニタランプの消灯が、前記第１のモニタランプの消灯よりも遅延するよう構成されていることを特徴とする遊技機。
【請求項２】
前記電源装置の電源切断後に、前記第２のモニタランプは、前記第１のモニタランプが消灯して５秒以上経過してから消灯するよう構成されていることを特徴とする請求項１に記載の遊技機。
【請求項３】
前記基板は、前記電源装置と前記制御装置の間の前記第１の電源ラインを中継するとともに、前記電源装置と前記駆動装置の間の前記第２の電源ラインを中継する中継基板であって、
前記第１の蓄電装置は、前記第１の電源ラインの、前記中継基板よりも前記制御装置寄りに接続されており、
前記第２の蓄電装置は、前記第２の電源ラインの、前記中継基板よりも前記駆動装置寄りに接続されていることを特徴とする請求項１又は請求項２に記載の遊技機。
【請求項４】
前記基板は、透明樹脂からなる基板ケースに収容されており、
前記基板ケースの内側面には、内側に突き出る透明なリブが前記基板ケースと一体成形されており、
前記リブの端面が、前記基板上の前記第１のモニタランプ及び／又は前記第２のモニタランプを、前記一面側から覆っていることを特徴とする請求項１乃至請求項３のいずれか１項に記載の遊技機。
【発明の詳細な説明】
【技術分野】
【０００１】
本発明は、電源ラインの通電状態を示すモニタランプを備える遊技機に関する。
【背景技術】
【０００２】
スロットマシンやパチンコ機などの遊技機では、電源装置が外部電源を交流から直流に変換し、電源ラインを介して各種の機器に必要な電力を供給する。一般的に、電源装置は、電源電圧の異なる複数の電源ラインを介して電力を供給する。例えば、制御装置等のロジック回路用の電力は電源電圧の比較的低い電源ラインを介して供給し、スピーカやモータ等の駆動電力は電源電圧の比較的高い電源ラインを介して供給する。また、電源ラインが接続される基板には、電源ラインの通電状態を示すモニタランプが配設されることがある。かかるモニタランプは、複数の電源電圧の電源ラインが接続される基板では、電源ライン毎にモニタランプが一個ずつ配設される（例えば、特許文献１）。
【先行技術文献】
【特許文献】
【０００３】
【特許文献１】特開２０１１−２００４７０号公報
【発明の概要】
【発明が解決しようとする課題】
【０００４】
ところで、一般的に、制御装置への電力供給が停止するよりも先に、当該制御装置に制御される駆動装置への電力供給が停止すると、制御装置が動作している状態で駆動装置が停止している状態であるため、制御装置からのコマンドが脱落してしまうことになり好ましくない。遊技機の場合は、通常であれば、電源電圧の低い制御装置への電力供給が、電源電圧の高い駆動装置への電力供給よりも先に停止するため、問題は生じない。しかしながら、何らかの不具合によって、電源電圧の高い電源ラインが、電源電圧の低い電源ラインより先に電力供給が停止するようになることが懸念される。こうした不具合は、電源切断時に、各電源ラインのモニタランプが消灯する順序によって、各電源ラインへの電力供給の停止順序を確認することが考えられるが、電源切断時に、電源装置から各電源ラインへの電力供給が停止されるタイミングの時間差は僅かであり、各モニタランプの消灯後に残像効果も生じるため、目視によってモニタランプの消灯順序を判別するのは困難である。
【０００５】
本発明はかかる問題の解決を試みたものであり、電源ユニットの電源切断時に、個々の電源ラインの通電状態を示すモニタランプの消灯順序を確認し易い遊技機の提供を目的とする。
【課題を解決するための手段】
【０００６】
本件第１の発明は、第１の電源ラインと第２の電源ラインの少なくとも２つの電源ラインを介して電力を供給する電源装置と、前記第１の電源ラインと前記第２の電源ラインがともに接続される基板とを備え、前記第１の電源ラインを介して、少なくとも制御装置のロジック回路に電力が供給され、前記第２の電源ラインを介して、少なくとも前記制御装置によって制御される駆動装置に駆動電力が供給され、前記基板の一面側には、前記第１の電源ラインの通電状態を示す第１のモニタランプと、前記第２の電源ラインの通電状態を示す第２のモニタランプが配設されており、前記電源装置の電源切断直後に、蓄えた電荷の少なくとも一部を前記第１のモニタランプへ供給して前記第１のモニタランプの消灯を遅延させる第１の蓄電装置と、前記電源装置の電源切断直後に、蓄えた電荷の少なくとも一部を前記第２のモニタランプへ供給して前記第２のモニタランプの消灯を遅延させる第２の蓄電装置とを備え、前記第２の蓄電装置は前記第１の蓄電装置よりも放電時間が長く、前記電源装置の電源切断直後に、前記第２の蓄電装置が、前記第１の蓄電装置よりも長時間放電することにより、前記第２のモニタランプの消灯が、前記第１のモニタランプの消灯よりも遅延するよう構成されていることを特徴とする遊技機である。
【０００７】
かかる構成にあっては、電源装置から各電源ラインへの電力供給停止後も、第１の蓄電装置と第２の蓄電装置からモニタランプに一時的に電力が供給されて、２つの蓄電装置の放電時間に応じて各モニタランプが点灯継続するため、各蓄電装置の放電時間を適宜設定することによって、各モニタランプの消灯順序を容易に確認可能となる。
【０００８】
本件第１の発明にあって、前記電源装置の電源切断後に、前記第２のモニタランプは、前記第１のモニタランプが消灯して５秒以上経過してから消灯するよう構成されていることが提案される。
【０００９】
かかる構成のように、２つのモニタランプの消灯タイミングに、５秒以上の差を設ければ、モニタランプ消灯時の残像効果を排除できるため、モニタランプの消灯順序を正確に目視確認可能となる。
【００１０】
また、本件第１の発明にあって、前記基板は、前記電源装置と前記制御装置の間の前記第１の電源ラインを中継するとともに、前記電源装置と前記駆動装置の間の前記第２の電源ラインを中継する中継基板であって、前記第１の蓄電装置は、前記第１の電源ラインの、前記中継基板よりも前記制御装置寄りに接続されており、前記第２の蓄電装置は、前記第２の電源ラインの、前記中継基板よりも前記駆動装置寄りに接続されていることが提案される。
【００１１】
かかる構成のように、第１の蓄電装置や第２の蓄電装置が、前記中継基板でなく、前記中継基板よりも制御装置や駆動装置寄りに配設されていると、各電源ラインの負荷の大小に応じて、適切な放電時間を設定しやすいという利点がある。
【００１２】
また、本件第１の発明にあって、前記基板は、透明樹脂からなる基板ケースに収容されており、前記基板ケースの内側面には、内側に突き出る透明なリブが前記基板ケースと一体成形されており、前記リブの端面が、前記基板上の前記第１のモニタランプ及び／又は前記第２のモニタランプを、前記一面側から覆っていることが提案される。
【００１３】
本件第１の発明では、モニタランプの明るい光が、基板を点検する際に邪魔になるおそれがある。これに対して、かかる構成では、モニタランプの光は、リブの端面に入射して、リブの内部で拡散することにより、小さい強烈な光から、広範な範囲で発光する強烈でない光に変わるため、モニタランプの光が基板点検の邪魔になるおそれがなくなる。なお、モニタランプの光は、リブによって強度は弱まるものの、リブが面発光することで広範な明かりとなるため、モニタランプの点灯状態はより判別し易くなる。このため、かかる構成では、第１のモニタランプと第２のモニタランプを近接配置した場合でも、各モニタランプの点灯状態を見誤り難いという利点がある。また、透明なリブは、基板ケースと一体成形されるものであるから、部品点数を増加させずに実現できるという利点がある。
【００１４】
本件第２の発明は、親基板の一面側に、前記親基板よりも小さい子基板を積層状に配置して基板対基板接続してなる基板装置を、透明な基板ケースに収容してなる基板ユニットを備える遊技機であって、前記基板ユニットは、前記親基板の前記一面側が視認可能となるよう配設されており、前記子基板には、前記親基板と対向しない側に、識別情報を示す識別ラベルが貼付され、前記親基板と対向する側には、識別情報を示す識別ラベルが貼付されておらず、前記親基板には、前記子基板の積層によって前記一面側から視認困難となる領域に、識別情報を示す識別ラベルが貼付されていないことを特徴とする遊技機である。
【００１５】
かかる構成にあっては、従来構成のように親基板の外周部に配設される場合に比べて、識別ラベルが、視認する係員の視点近くに配置されるため、従来構成に比べて識別ラベルの視認性を向上させることができる。
【００１６】
本件第２の発明にあって、前記識別ラベルが示す前記識別情報は、機種名を含むことが提案される。
【００１７】
かかる構成にあっては、親基板のデッドスペースに、機種名を表す識別ラベルを貼付不要となるため、親基板のデッドスペースを削減して、基板装置を小型化することが可能となる。
【００１８】
また、本件第２の発明にあって、前記識別ラベルには、識別情報が記録された、読取装置によって光学的に読取可能なコードが印字されている構成が提案される。
【００１９】
かかる構成にあっては、識別ラベルが親基板の外周部に貼付される従来構成に比べて、識別ラベルが手前側に配置される分だけ、読取装置でコードを読み取りやすくなる。
【００２０】
また、本件第２の発明にあって、筐体と、前記筐体の前面側を覆う前扉とを備えたスロットマシンであって、前記筐体と前記前扉の一方には、円筒形のリールを備えるリールユニットが配設され、前記基板ユニットは、前記基板装置の、前記子基板が配置された側が前記リールユニットの方を向くようにして、前記筐体と前記前扉の他方に配設されており、前記基板ケースには、前記子基板が配設された部位で最も大きく膨出する膨隆部が形成されており、前記基板ケースは、正面視において前記リールユニットの上部又は下部のいずれかと重なっており、前記膨隆部は、正面視において、前記リールユニットと重ならない位置に形成されている構成が提案される。
【００２１】
かかる構成にあっては、膨隆部を備える基板ケースと、円筒形のリールを備えるリールユニットとを、相互に干渉させることなく適切に近接配置できるため、筐体の内部スペースを有効活用できる。
【００２２】
また、本件第２の発明にあって、筐体と、前記筐体の前面側を覆う前扉とを備え、前記基板ユニットは、前記筐体と前記前扉の一方に配設されて、前記基板装置の、前記子基板が配置された側を、前記筐体と前記前扉の他方に向けており、前記基板ケースには、前記子基板が配設された部位で最も大きく膨出する膨隆部が形成されており、前記筐体と前記前扉の他方には、前記前扉を閉鎖した状態で、正面視及び平面視において前記基板ケースと重なる位置に特定のユニットが配設されており、前記膨隆部は、前記前扉を閉鎖した状態で、平面視において前記特定のユニットと重なり、かつ、正面視において前記特定のユニットと重ならない位置に形成されている構成が提案される。
【００２３】
かかる構成にあっては、膨隆部を備える基板ケースを、対向位置に配設された特定のユニットと干渉させることなく適切に近接配置できるため、筐体の内部スペースを有効活用できる。
【００２４】
また、本件第２の発明にあって、前記基板ケースには、複数の貫通孔が形成されており、前記貫通孔は、前記識別ラベルの正面側から視認した時に、前記識別ラベルと重ならない位置に形成され、かつ、少なくとも一部が前記識別ラベルの近傍に形成されている構成が提案される。
【００２５】
かかる構成にあっては、識別ラベルの視認性を阻害することなく、識別ラベルの周辺の空気を、貫通孔を介して入れ替え可能となるため、周囲の電子機器が生じる熱によって、識別ラベルが剥離したり、変色したりするのを抑制できる。
【００２６】
また、本件第２の発明にあって、前記子基板は、矩形状をなしており、前記親基板と基板対基板接続するコネクタは、前記子基板の一辺寄りに配置されており、前記子基板は、少なくとも前記一辺の反対側で、前記親基板上に配設されたスペーサに螺子で固定されており、前記スペーサ及び前記螺子は金属製であり、前記子基板は、前記スペーサと前記螺子の締結部位にＧＮＤ配線が露出している構成が提案される。
【００２７】
かかる構成にあっては、親基板上に子基板を積層状に保持するためのスペーサや螺子を、子基板のアース線として利用できるという利点がある。
【００２８】
本件第３の発明は、夫々の一側部に配設された一対のコネクタを介して、夫々の板面方向に連なるように基板対基板接続される第１の基板と第２の基板を備える遊技機であって、前記第１の基板は、第１の基板ケースに収容されて第１の基板ユニットを構成し、前記第２の基板は、第２の基板ケースに収容されて第２の基板ユニットを構成し、前記第１の基板と前記第２の基板は、夫々前記基板ケースに収容された状態で、相互に分離・接続可能となっており、前記第１の基板ケースと前記第２の基板ケースの少なくとも一方には、一面側に、前記一対のコネクタの嵌合方向及び／又は分離方向を示す使用方向表示部が配設されており、前記第１の基板及び／又は前記第２の基板には、前記使用方向表示部と正対する部位に、板面から突出する高さが所定高さ以上の部品が配設されていないことを特徴とする遊技機である。
【００２９】
かかる構成では、基板ケースを開放せずに、第１の基板と第２の基板を分離・接続できるため、第１の基板と第２の基板の分離・接続が容易となる。また、第１の基板と第２の基板を基板ケースに収容した状態で分離・接続すれば、分離・接続の際に基板上の部品に接触して破損させるおそれもなくなるし、基板に対する不正行為を防止し易くなる。また、従来構成では、２枚の基板を１つの基板ケースに収容しているため、一方の基板を形状の異なる基板に替える場合は、基板ケースを使い回すことができないが、本件第３の発明であれば、一方の基板を形状の異なる基板に替える場合でも、他方の基板の基板ケースを流用できるという利点がある。
また、本件第３の発明では、２枚の基板を基板ケースに収容した状態で分離・接続するため、剥き出しの基板を分離・接続する場合に比べて、コネクタを視認し辛くなるが、本件第３の発明では、基板ケースに設けられた使用方向表示部によって、コネクタの使用方向がわかるため、基板ケースに収容したまま基板を分離・接続するように構成されていても不具合は生じない。
また、本件第３の発明では、使用方向表示部を設けることによって、２枚の基板を基板ユニットごと分離・接続する際に、使用方向表示部に指を押し当てられることが予想されるが、本件第３の発明では、使用方向表示部と正対する部位に、所定高さ以上の部品が配設されないため、指を押し当てられた基板ケースが、使用方向表示部において基板側に撓んでも、使用方向表示部と正対する部位に配設された部品が基板ケースに押圧されて破損するおそれはない。
【００３０】
本件第３の発明にあって、前記第１の基板ユニット及び前記第２の基板ユニットには、読取装置によって光学的に読取可能なコードが印字された一対の識別ラベルが、略同じ平面上に、略同じ大きさで、相互に隣り合うように貼付されており、前記一対の識別ラベルには、夫々が貼付された前記基板ユニットに係る識別情報が記録されている構成が提案される。
【００３１】
かかる構成にあっては、読取装置で、片方の識別ラベルのコードにピント合わせをして識別情報を読み取れば、そのまま読取装置の撮像エリアを僅かにスライドさせるだけで、他方の識別ラベルのコードを読み取ることができるため、２つの識別ラベルのコードを効率的に読取可能となる。
【００３２】
また、本件第３の発明にあって、前記第１の基板ケースと前記第２の基板ケースには、前記一対のコネクタの嵌合・分離に伴って、相互に嵌合・分離する一対の嵌合構造が設けられており、前記一対の嵌合構造の先端には、嵌合方向及び分離方向と直交する端縁が夫々形成されている構成が提案される。
【００３３】
かかる構成にあっては、第１の基板ケースと第２の基板ケースの嵌合構造の先端が平行となっているか否かを確認することで、２枚の基板のコネクタが傾くことなく嵌合しているかを判断できる。
【００３４】
また、本件第３の発明にあって、前記第１の基板ケースと前記第２の基板ケースには、前記一対のコネクタの側縁に沿って延びるリブが内側に形成されており、前記リブの少なくとも一部は、前記使用方向表示部の配設部位の内側に形成されている構成が提案される。
【００３５】
かかる構成にあっては、コネクタに合わせて基板ケースに形成された開口部から、不正器具がケース内に挿入されるのをリブによって阻止することができる。また、当該リブによって、使用方向表示部における基板ケースの強度を高めて、指で押圧された際の撓み量を低減することができる。
【００３６】
また、本件第３の発明にあって、前記第１の基板ケース及び／又は前記第２の基板ケースの表面は、前記使用方向表示部の形成部位が粗面加工されている構成が提案される。
【００３７】
かかる構成にあっては、使用方向表示部が滑りにくくなるため、第１の基板と第２の基板を分離・接続する時に、指を使用方向表示部に押し当てて作業し易くなる。また、使用方向表示部の透明度が低下するため、使用方向表示部の視認性を向上させることもできる。
【図面の簡単な説明】
【００３８】
【図１】実施例のスロットマシン１の正面図である。
【図２】前扉３を開放した状態のスロットマシン１の斜視図である。
【図３】スロットマシン１の制御回路を示すブロック図である。
【図４】リールユニット１５の斜視図である。
【図５】表示器組付体１４の斜視図である。
【図６】表示器組付体１４の分解斜視図である。
【図７】分離状態の画像制御基板２２とサブ接続基板２３の斜視図である。
【図８】接続状態の画像制御基板２２とサブ接続基板２３の背面図である。
【図９】第１基板ユニット２６の分解斜視図である。
【図１０】第１カバー部材４０ａと第２カバー部材４１ａの正面側の斜視図である。
【図１１】第２基板ユニット２７の分解斜視図である。
【図１２】（ａ）子基板２２ｂの識別ラベル６８ａ、（ｂ）親基板２２ａの識別ラベル６８ｂ、（ｃ）サブ接続基板２３の識別ラベル６８ｃの表面図である。
【図１３】子基板２２ｂの取付構造を示す説明図である。
【図１４】前扉３の閉止状態における、第１基板ケース４０とリールユニット１５の位置関係を示す左側面図である。
【図１５】前扉３の閉止状態における、第１基板ケース４０とリールユニット１５の位置関係を示す正面図である。
【図１６】前扉３の閉止状態における、第１基板ケース４０とリールユニット１５の位置関係を示す平面図である。
【図１７】第２カバー部材４１ａを切断して示す、第２基板ユニット２７の斜視図である。
【図１８】電源装置１８から主要な機器への電力供給回路を示すブロック図である。
【図１９】サブ接続基板２３から各機器への電力供給回路を示す回路図である。
【図２０】電源切断時のモニタランプ５０ａ〜５０ｃの消灯タイミングを示すタイミングチャートである。
【発明を実施するための形態】
【００３９】
本発明の実施形態を、以下の実施例に従って説明する。なお、以下の実施例にあって、本件第１の発明に係る基板は、サブ接続基板２３に相当する。また、本件第１の発明に係る第１の電源ラインは、５Ｖの電源ラインに相当し、本件第１の発明に係る第２の電源ラインは、２０Ｖ又は３０Ｖの電源ラインに相当する。また、本件第１の発明に係る第１のモニタランプは、第１モニタランプ５０ａに相当し、本件第１の発明に係る第２のモニタランプは、第２モニタランプ５０ｂ又は第３モニタランプ５０ｃに相当する。また、本件第１の発明に係る制御装置は、サブ制御基板２１に相当する。また、本件第１の発明に係る駆動装置は、役物駆動モータ１０ｂ、スピーカ１１ａ〜１１ｄ、演出用ランプ１３ａ，１３ｂ、リールバックランプ３５に相当する。また、本件第１の発明に係る第１の蓄電装置は、蓄電装置Ｃ１〜Ｃ４に相当し、第２の蓄電装置は、蓄電装置Ｃ５〜Ｃ９に相当する。また、本件第１の発明に係るリブは、リブ６５ｅに相当する。また、本件第２の発明に係る基板装置、基板ユニット、基板ケースは、画像制御基板２２、第１基板ユニット２６、及び第１基板ケース４０に相当する。そして、本件第２の発明に係る識別ラベルは、識別ラベル６８ａに相当する。また、本件第２の発明に係る特定のユニットは、リールユニット１５に相当する。また、本件第２の発明に係る貫通孔は、放熱用貫通孔６３に相当する。また、本件第３の発明に係る第１の基板、第１の基板ユニット及び第１の基板ケースは、画像制御基板２２、第１基板ユニット２６、及び第１基板ケース４０に相当し、本件第３の発明に係る第２の基板、第２の基板ユニット及び第２の基板ケースは、サブ接続基板２３、第２基板ユニット２７、及び第２基板ケース４１に相当する。また、本件第３の発明に係る一対のコネクタは、水平接続用コネクタ４５ｄ，４５ｆに相当する。また、本件第３の発明に係る一対の嵌合構造は、リブ６５ａ，６５ｃに相当する。また、本件第３の発明に係るリブは、リブ６５ｂ，６５ｄに相当する。また、本件第３の発明に係る一対の識別ラベルは、識別ラベル６８ｂ，６８ｃに相当する。
【００４０】
図１は、本実施例のスロットマシン１の正面図である。かかるスロットマシン１は、前面が開放された筐体２と、該筐体２の前面全体を覆う開閉可能な前扉３とを備えてなる。前扉３の前面中央部には、筐体２の内部に配設されたリール９ａ〜９ｃを視認可能とする透明な表示窓４が形成される。そして、前扉３の正面側には、表示窓４の下方位置に、ベットスイッチ５ａ，５ｂ、スタートスイッチ６、ストップスイッチ７、精算スイッチ８等の各種スイッチが配設される。また、ストップスイッチ７の下方には、役物装置１０が配設される。役物装置１０は、剣の形をした役物本体１０ａと、役物本体１０ａを揺動させる役物駆動モータ１０ｂとを備えている。また、前扉３の、表示窓４の上方には、液晶モジュールからなる画像表示器１２が配設される。また、前扉３の両側には、ＬＥＤを基板上に配設してなる演出用ランプ１３ａ，１３ｂが配設される。
【００４１】
図２に示すように、筐体２の内部には、リール９ａ〜９ｃを具備するリールユニット１５が配設される。また、リールユニット１５の上方には、メイン制御基板を内蔵する第３基板ユニット２８やサブ制御基板を内蔵する第４基板ユニット２９が配設される。メイン制御基板は遊技を制御するものであり、サブ制御基板は演出を制御するものである。また、リールユニット１５の下方には、電源装置１８やホッパーユニット１９が配設される。また、前扉３の背面側には、スピーカ１１ａ〜１１ｄが四隅に配設される。また、前扉３の背面右側部には、メダルセレクタ１６が配設される。また、前扉３の背面上部には、画像制御基板を内蔵する第１基板ユニット２６と、サブ接続基板を内蔵する第２基板ユニット２７が左右に並設される。画像制御基板２２は、画像表示器１２を制御するものであり、サブ接続基板２３は、信号線や電源ラインを中継する中継基板である。後述するように、画像表示器１２と第１基板ユニット２６と第２基板ユニット２７は、一体的に組み付けられて表示器組付体１４を構成している。なお、図２及び以降の図面では、機器間を接続するワイヤハーネスの図示を省略している。
【００４２】
図３は、スロットマシン１の制御回路を示すブロック図である。なお、図３のブロック図においては、信号線を中継するいくつかの中継基板の図示を省略している。
【００４３】
メイン制御基板２０は、ＣＰＵ、ＲＡＭ、ＲＯＭ等を配設した基板によって構成される。メイン制御基板２０は、主に遊技の進行に関する制御を実行するものである。メイン制御基板２０のＲＯＭには、主に遊技制御に係るプログラムなどの固定データが記憶される。図３に示すように、メイン制御基板２０の入出力ポートには、ベットスイッチ５ａ，５ｂ、スタートスイッチ６、ストップスイッチ７、精算スイッチ８、リールユニット１５、電源装置１８、ホッパーユニット１９、投入センサ３０、及びサブ制御基板２１が接続される。
【００４４】
電源装置１８は、外部電源を交流から直流に変換し、電源ラインを介してスロットマシン１の各機器に電力を供給する。後述するように、電源装置１８は、３段階の電源電圧の電源ラインを介して電力を供給する。電源装置１８は、電源スイッチ３１と設定キースイッチ３２とを備えている。電源スイッチ３１は、一般的なロッカースイッチであり、電源スイッチ３１をＯＮからＯＦＦに切り替えるとスロットマシン１の電力供給が切断され、電源スイッチ３１をＯＦＦからＯＮに切り替えるとスロットマシン１に電力供給が開始される。設定キースイッチ３２は、専用キーを鍵穴に差込んで回すことにより、ＯＮ／ＯＦＦを切り替えるタイプのスイッチであり、設定キースイッチ３２をＯＮにした状態でスロットマシン１に電源を投入すると、有効設定値の変更が可能となる。
【００４５】
投入センサ３０は、スロットマシン１へのメダルの投入を検出するものである。すなわち、投入センサ３０は、前扉３の裏側に備えられたメダルセレクタ１６内のメダル通路に配設されて、メダル通路を通過するメダルを１枚ずつ検知し、メダルを検知する毎に投入信号を出力する。
【００４６】
ベットスイッチ５ａ，５ｂは、クレジットされているメダルを賭数として設定するためのものである。ベットスイッチ５ａ，５ｂとしては、シングルベットスイッチ５ａ、とマックスベットスイッチ５ｂとが備えられている。シングルベットスイッチ５ａは、クレジットされているメダルを１枚ずつ賭数に設定する。マックスベットスイッチ５ｂは、１遊技当たりの最大賭数を設定する。
【００４７】
リールユニット１５は、図４に示すように、短円筒形状をなす３つのリール９ａ〜９ｃをフレーム１５ａに保持してなるものである。各リール９ａ〜９ｃは、ステッピングモータからなるリールモータ３３により回転駆動されて、任意の角度で停止することで、表示窓４に対して外周面の図柄を選択的に停止表示可能となっている。また、図３に示すように、リールユニット１５は、原点センサ３４とリールバックランプ３５を備えている。原点センサ３４は、各リール９ａ〜９ｃが原点角度を通過したことを検知するセンサである。リールバックランプ３５は、複数のＬＥＤを基板上に配設してなるものであり、各リール９ａ〜９ｃを照らすのに用いられる。また、図４に示すように、リールユニット１５は、リールユニット１５への信号線を中継するリール接続基板２４と、リール接続基板２４を覆う基板カバー３８を上部に備えている。また、基板カバー３８には、リールユニット１５を把持する把手３９が形成されている。
【００４８】
スタートスイッチ６は、リール９ａ〜９ｃの回転を開始させる操作に用いるものである。本実施例では、レバー式スイッチが用いられており、レバーを傾動させることで、３つのリール９ａ〜９ｃが回転を開始して、リール９ａ〜９ｃの図柄が表示窓４で変動表示される。
【００４９】
ストップスイッチ７は、リール９ａ〜９ｃの回転を停止させる操作に用いるものである。ストップスイッチ７は、３つのリール９ａ〜９ｃに個別に対応付けられたものが計３個配設されている。
【００５０】
精算スイッチ８は、クレジットされているメダル、及び賭数設定されたものの未だ遊技に用いられていないメダルを返却するためのものである。
【００５１】
ホッパーユニット１９はメダルを払い出すためのものであり、メダルを貯留するタンクと、タンクのメダルを払出口に向けて送り出す送出機構とを備えている。送出機構は、駆動源となる払出モータ３６と、送出されるメダルを検出するための払出センサ３７とを備えている。
【００５２】
サブ制御基板２１は、ＣＰＵ、ＲＡＭ、ＲＯＭ等を配設した基板によって構成されており、主に演出の制御を実行する。サブ制御基板２１のＲＯＭには、多岐に亘る演出パターンに関する固定データが記憶される。サブ制御基板２１の入力ポートにはメイン制御基板２０が接続され、メイン制御基板２０からサブ制御基板２１には、遊技の進行に関する情報等を含む制御信号（コマンド）が一方向に入力される。また、サブ制御基板２１の出力ポートには、上述のリールバックランプ３５が接続され、また、サブ接続基板２３を介して、役物駆動モータ１０ｂ、スピーカ１１ａ〜１１ｄ、演出用ランプ１３ａ，１３ｂなどの駆動装置も接続されており、サブ制御基板２１は、遊技の進行に合わせて、これらの駆動装置の動作を制御する。すなわち、サブ制御基板２１は、リールバックランプ３５、役物駆動モータ１０ｂ、スピーカ１１ａ〜１１ｄ、及び演出用ランプ１３ａ，１３ｂを制御する制御装置を構成するものである。また、サブ制御基板２１の出力ポートには、上述のリールバックランプ３５も接続される。また、サブ制御基板２１は、サブ接続基板２３を介して、画像表示器１２を制御する画像制御基板２２とも接続されており、サブ制御基板２１は、画像制御基板２２に表示制御コマンドを出力することにより、所要の画像を画像表示器１２に表示させる。
【００５３】
画像制御基板２２は、ＣＰＵ、ＲＡＭ、ＲＯＭ等を備え、画像表示器１２の表示制御を行うものである。画像制御基板２２のＲＯＭには、画像表示器１２に表示する演出用画像を生成するためのデータが多量に記憶される。画像制御基板２２は、サブ制御基板２１から表示制御コマンドを受信すると、ＣＰＵにおいて演算処理し、演出用画像のデータをＲＡＭに書きこんで画像表示器１２に出力し、サブ制御基板２１が選択した演出パターン通りの演出用画像を画像表示器１２の表示画面に表示させる。
【００５４】
以下に、第１基板ユニット２６及び第２基板ユニット２７について詳述する。
【００５５】
上述のように、第１基板ユニット２６と第２基板ユニット２７は、前扉３の背面上部に配設される。図２，５，６に示すように、第１基板ユニット２６と第２基板ユニット２７は、画像表示器１２とともに表示器組付体１４を構成した状態で、前扉３に装着される。具体的には、表示器組付体１４は、矩形板状の液晶ベース板１７を備え、液晶ベース板１７の正面側に画像表示器１２が嵌着され、液晶ベース板１７の背面側に、第１基板ユニット２６と第２基板ユニット２７が横並びの状態で螺子５６ａ，５６ｂで固定されている。液晶ベース板１７の四隅には、前扉３の上部背面側に螺子止めするための鍔部１７ａが形成される。また、液晶ベース板１７の背面側には、第１基板ユニット２６と第２基板ユニット２７を上下に位置決めするためのリブ１７ｂが形成される。
【００５６】
第１基板ユニット２６は、画像制御基板２２を第１基板ケース４０に収容してなるものであり、第２基板ユニット２７は、サブ接続基板２３を第２基板ケース４１に収容してなるものである。なお、図面では、便宜上、基板ケース４０，４１を不透明にしているが、第１基板ケース４０及び第２基板ケース４１は透明であり、前扉３を開放した状態（図２参照）で、前扉３の背面側から基板ケース４０，４１を透して画像制御基板２２及びサブ接続基板２３の背面側を視認可能となっている。以下の説明では、前扉３の正面側を、表示器組付体１４を構成する各部品の正面側とし、前扉３の背面側を、表示器組付体１４を構成する各部品の背面側として説明する。
【００５７】
図７，８に示すように、第１基板ユニット２６と第２基板ユニット２７が液晶ベース板１７に装着された状態で、画像制御基板２２とサブ接続基板２３は、基板本体４２，５２が面一となるよう配置され、夫々の一側部に配設された一対のコネクタ４５ｄ，４５ｆを介して、夫々の板面方向に連なるように基板対基板接続されている。図７，８に示すように、画像制御基板２２は、親基板２２ａの背面側中央部に、親基板２２ａよりも小さい子基板２２ｂを積層状に配設してなるものである。子基板２２ｂは、略矩形状の子基板本体４３の背面側に、演出用画像データを記憶するＲＯＭ４４を配設してなるＲＯＭ基板である。子基板２２ｂは、子基板本体４３の正面側に配設されたスタッキング接続用コネクタ４５ｅを介して親基板２２ａと基板対基板接続されている。親基板２２ａは、略矩形状の親基板本体４２の背面側に、コネクタ４５ａ〜４５ｄ、ＩＣチップ４６ａ〜４６ｃ、コンデンサ４７ａ、抵抗４８ａ，４８ｂ、ダイオード４９ａなどの電子部品を配設してなるものである。親基板２２ａの背面下部に配設される２つのコネクタ４５ａ，４５ｂは、ワイヤハーネス接続用コネクタであり、中央部に配設されるコネクタ４５ｃは、子基板２２ｂと接続するためのスタッキング接続用コネクタ４５ｃである。そして、一側部に配設されるコネクタ４５ｄは、サブ接続基板２３と基板対基板接続するための水平接続用コネクタである。
【００５８】
図７，８に示すように、サブ接続基板２３は、サブ接続基板本体５２の背面側に、コネクタ４５ｆ〜４５ｍ、コンデンサ４７ｂ，４７ｃ、抵抗４８ｃ，４８ｄ、ダイオード４９ｂなどの電子部品を配設してなるものである。一側部に配設されるコネクタ４５ｆは、画像制御基板２２の水平接続用コネクタ４５ｄと嵌合する水平接続用コネクタであり、残りのコネクタ４５ｇ〜４５ｍは、ワイヤハーネス接続用コネクタである。サブ接続基板本体５２は、親基板本体４２と同じ厚み・同じ高さを有する縦長矩形状をなしている。サブ接続基板本体５２の背面側上部には、ＬＥＤからなる３つのモニタランプ５０ａ〜５０ｃが配設される。モニタランプ５０ａ〜５０ｃは、電源装置１８から供給される３種類の電源ラインの通電状態を示すものであり、サブ接続基板本体５２の表面には、各モニタランプ５０ａ〜５０ｃの脇に、対応する電源ラインの電圧値（「５Ｖ」、「２０Ｖ」、「３０Ｖ」）が夫々表示されている。
【００５９】
図６に示すように、画像制御基板２２を収容する第１基板ケース４０は、略矩形板状をなしている。第１基板ケース４０は、図９に示すように、画像制御基板２２の背面側を覆う第１カバー部材４０ａと、画像制御基板２２の正面側を覆う第１ベース部材４０ｂとで構成される。図９，１０に示すように、第１カバー部材４０ａは、画像制御基板２２を収容可能な５５ａが形成された浅箱形状の透明樹脂部材である。第１ベース部材４０ｂは、画像制御基板２２と略同じ大きさの透明樹脂板であり、第１カバー部材４０ａの凹部５５ａに収容された画像制御基板２２の正面側に配置され、第１カバー部材４０ａと螺子５６ｅで締結されている。第１ベース部材４０ｂは略矩形板状をなしており、その一側には画像制御基板２２とサブ接続基板２３の接続部分を正面側から覆うように延出する延出部６４が形成されている。
【００６０】
図９，１０に示すように、第１カバー部材４０ａの四隅には、第１基板ユニット２６を液晶ベース板１７に螺着するための鍔部５８ａが形成される。また、第１カバー部材４０ａの背面側には、ワイヤハーネス接続用のコネクタ４５ａ，４５ｂを外部に露出させるコネクタ開口部５９ａ，５９ｂが形成される。また、第１基板ケース４０の背面中央部には、背面側に膨出する膨隆部６０が形成される。かかる膨隆部６０は、画像制御基板２２の背面側に積層状に配設される子基板２２ｂと第１カバー部材４０ａとの干渉を防止するためのものであり、子基板２２ｂと前後に対向する部分が、最も背面側に膨出する頂部６１となっている。膨隆部６０の頂部６１は平坦となっており、頂部６１には、横長スリット状の放熱用貫通孔６３が３本形成される。
【００６１】
図９，１０に示すように、第１カバー部材４０ａの一側部には、コ字状の切欠６２ａが形成される。第１基板ケース４０に画像制御基板２２を収容した際に、かかる切欠６２ａと第１ベース部材４０ｂとの間に、画像制御基板２２の水平接続用コネクタ４５ｄを外部に露出させる縦長矩形状のコネクタ開口部５９ｄが形成される。そして、第１カバー部材４０ａには、切欠６２ａの周囲に、水平接続用コネクタ４５ｄの嵌合方向に突出するコ字状のリブ６５ａが形成される。かかるリブ６５ａは、画像制御基板２２とサブ接続基板２３の接続時に、第２基板ケース４１と嵌合する嵌合構造を構成するものである。また、図１０に示すように、第１カバー部材４０ａの一側部には、内側面にコ字状のリブ６５ｂが形成される。かかるリブ６５ｂは、図８に示すように、画像制御基板２２に配設された水平接続用コネクタ４５ｄの側縁に沿って延びて、水平接続用コネクタ４５ｄを三方から囲むように配置される。また、図９に示すように、第１カバー部材４０ａの背面には、水平接続用コネクタ４５ｄの嵌合方向及び分離方向を示す、両矢印からなる使用方向表示部６６ａが形成される。
【００６２】
図６に示すように、サブ接続基板２３を収容する第２基板ケース４１は、略矩形板状をなしている。第２基板ケース４１は、図１１に示すように、サブ接続基板２３の背面側を覆う第２カバー部材４１ａと、サブ接続基板２３の正面側を覆う第２ベース部材４１ｂとで構成される。図１０，１１に示すように、第２カバー部材４１ａは、サブ接続基板２３を収容可能な凹部５５ｂが形成された浅箱形状の透明樹脂部材である。第２ベース部材４１ｂは、サブ接続基板２３と略同じ大きさの透明樹脂板であり、第２カバー部材４１ａの凹部５５ｂに収容されたサブ接続基板２３の正面側に配置され、第２カバー部材４１ａと螺子５６ｆで締結されている。
【００６３】
図１０，１１に示すように、第２カバー部材４１ａの四隅には、第２基板ユニット２７を液晶ベース板１７に螺着するための鍔部５８ｂが形成される。また、第２カバー部材４１ａの背面側には、ワイヤハーネス接続用のコネクタ４５ｇ〜４５ｍを外部に露出させるコネクタ開口部５９ｇ〜５９ｍが形成される。また、第２カバー部材４１ａの一側部には、コ字状の切欠６２ｂが形成される。第２基板ケース４１に画像制御基板２２を収容した際に、かかる切欠６２ｂと第２ベース部材４１ｂとの間に、サブ接続基板２３に配設された水平接続用コネクタ４５ｆを外部に露出させるコネクタ開口部５９ｆが形成される。そして、第２カバー部材４１ａには、切欠６２ｂの周囲に、水平接続用コネクタ４５ｆの嵌合方向に突出するコ字状のリブ６５ｃが形成される。かかるリブ６５ｃは、第１基板ケース４０の一側部に突成されたコ字状のリブ６５ａよりも一回り大きく、画像制御基板２２とサブ接続基板２３の接続時に当該リブ６５ａと嵌合するよう構成される。また、第２カバー部材４１ａの一側部には、内側面にコ字状のリブ６５ｄが形成される。かかるリブ６５ｄは、サブ接続基板２３に配設された水平接続用コネクタ４５ｆの側縁に沿って延びて、水平接続用コネクタ４５ｆを三方から囲むように配置される。また、図１０に示すように、第２カバー部材４１ａの上部には、第２基板ケース４１の内側に突出して、一側縁から横方向に延びる３本のリブ６５ｅが一体的に形成されている。図８に示すように、かかる３本のリブ６５ｅは、サブ接続基板２３を第２基板ケース４１に収容した状態で、各モニタランプ５０ａ〜５０ｃの背面側を覆うように配置される。
【００６４】
また、図１１に示すように、第２カバー部材４１ａの背面には、水平接続用コネクタ４５ｆの嵌合方向及び分離方向を示す、両矢印からなる使用方向表示部６６ｂが形成される。かかる使用方向表示部６６ｂは、第１カバー部材４０ａに形成される使用方向表示部６６ａと同じ大きさの両矢印である。第１カバー部材４０ａと第２カバー部材４１ａの使用方向表示部６６ａ，６６ｂは、第１カバー部材４０ａと第２カバー部材４１ａを構成する透明樹脂にレーザーマーキングによって形成されたものであり、使用方向表示部６６ａ，６６ｂの形成部位は、表面が白濁した粗面となっている。
【００６５】
また、図７，８に示すように、第１基板ユニット２６と第２基板ユニット２７には、識別情報を示す識別ラベル６８ａ〜６８ｃが貼付される。具体的には、識別ラベル６８ａ〜６８ｃは、子基板２２ｂと、親基板２２ａと、サブ接続基板２３に一枚ずつ貼付される。いずれの識別ラベル６８ａ〜６８ｃも、前扉３の開放状態で、前扉３の背面側から基板ケース４０，４１を透して視認できるように基板２２ａ，２２ｂ，２３の背面側に貼付される。すなわち、前扉３の背面側から視認困難となる領域（基板２２ａ，２２ｂ，２３の正面側や、親基板２２ａの背面側であって子基板２２ｂが積層される領域）には、識別ラベル６８ａ〜６８ｃは貼付されない。親基板２２ａとサブ接続基板２３の識別ラベル６８ｂ，６８ｃは、親基板本体４２とサブ接続基板本体５２の背面側に夫々貼付されるが、子基板２２ｂの識別ラベル６８ｃは、子基板２２ｂに搭載されたＲＯＭ４４の背面側に貼付される。図１２（ａ）〜１２（ｃ）に示すように、３枚の識別ラベル６８ａ〜６８ｃは同じ大きさの矩形状をなしており、夫々の表面には、識別情報を示す文字列７０ａ，７０ｂとＱＲコード（登録商標）７１ａ，７１ｂが同じサイズで印字されている。３枚の識別ラベル６８ａ〜６８ｃの各文字列７０ａ，７０ｂが示す識別情報は、スロットマシン１の機種名と、貼付される基板２２，２３の名称である。すなわち、図１２（ａ），１２（ｂ）に示すように、子基板本体４３と親基板本体４２に貼付される識別ラベル６８ａ，６８ｂには、「スロット○×△」という機種名と、「画像制御基板」という基板名称を示す文字列７０ａが印字され、図１２（ｃ）に示すように、サブ接続基板本体５２に貼付される識別ラベル６８ｃには、「スロット○×△」という機種名と、「サブ接続基板」という基板名称を示す文字列７０ｂが印字される。一方、識別ラベル６８ａ〜６８ｃの各ＱＲコード７１ａ，７１ｂには、比較的多くの情報を記録可能であるため、スロットマシン１の機種名や貼付される基板２２，２３の名称に加えて、基板２２，２３の製造番号や、製造工場、出荷先などの製造工程に関連する情報も識別情報として記録される。なお、本実施例では、子基板２２ｂと親基板２２ａの識別ラベル６８ａ，６８ｂが示す識別情報は共通であるが、子基板２２ｂの識別ラベル６８ａの識別情報に子基板２２ｂの固有情報を含め、親基板２２ａの識別ラベル６８ｂの識別情報に親基板２２ａの固有情報を含めるようにしてもよい。
【００６６】
次に、本件第３の発明の要部に係る構成について詳細に説明する。
上述のように、本実施例では、画像制御基板２２とサブ接続基板２３が、別々の基板ケース４０，４１に収容された状態で基板対基板接続されるため、基板ケース４０，４１を開放することなく、画像制御基板２２とサブ接続基板２３を分離・接続できる。このため、本実施例では、従来構成に比べて容易に画像制御基板２２とサブ接続基板２３を分離・接続できる。また、基板２２，２３が基板ケース４０，４１に収容された状態であれば、分離・接続の際に基板２２，２３の電子部品に接触して破損させるおそれもないし、基板２２，２３に対する不正行為も防止し易くなる。また、画像制御基板２２とサブ接続基板２３を１つの基板ケースに収容する従来構成では、一方の基板を形状の異なるものに交換する場合に、基板ケースを使い回すことができないが、本実施例の構成であれば、一方の基板２２，２３を形状の異なるものに交換する場合でも、他方の基板２２，２３の基板ケース４０，４１をそのまま使用できるという利点がある。
【００６７】
また、本実施例では、基板ケース４０，４１に収容した状態で２つの基板２２，２３を分離・接続するため、剥き出しの基板２２，２３を分離・接続する場合に比べて、コネクタを視認し辛くなるが、本実施例では、各基板ケース４０，４１の、水平接続用コネクタ４５ｄ，４５ｆの近傍に、水平接続用コネクタ４５ｄ，４５ｆの嵌合方向及び分離方向を示す使用方向表示部６６ａ，６６ｂが設けられているため、両基板２２，２３を基板ケース４０，４１に収容した状態でも、水平接続用コネクタ４５ｄ，４５ｆの嵌合方向と分離方向を容易に把握できるという利点がある。
【００６８】
なお、基板ケース４０，４１に使用方向表示部６６ａ，６６ｂを設けることによって、２つの基板２２，２３を分離・接続する際に、作業者が使用方向表示部６６ａ，６６ｂに指を押し当てることが予想されるが、押し当てた指によって、基板ケース４０，４１が内側に撓んでも、基板２２，２３の電子部品が破損しないよう構成される。具体的には、基板本体４２，５２の背面から所定高さ以上突出して、基板ケース４０，４１が内側に撓んだ際に、基板ケース４０，４１と接触するおそれのある電子部品は、使用方向表示部６６ａ，６６ｂと正対する部位、すなわち、図８において、使用方向表示部６６ａ，６６ｂと重なる部位には配設しないように構成される。なお、使用方向表示部６６ａ，６６ｂと正対する部位に電子部品を全く配設しないようにすると、基板上に無駄なスペースが生じるため、図８に示すように、本実施例では、使用方向表示部６６ａ，６６ｂと正対する部位に、コンデンサ４７ｃや抵抗４８ａなどの背の低い電子部品を搭載することで、電子部品の破損を回避しつつ、基板上に無駄なスペースが生じないようにしている。
【００６９】
また、本実施例では、図８に示すように、親基板本体４２とサブ接続基板本体５２の背面側には識別ラベル６８ｂ，６８ｃが貼付されるが、これらの識別ラベル６８ｂ，６８ｃは、夫々の基板本体４２，５２の、水平接続用コネクタ４５ｄ，４５ｆが配設される側部に、対をなすように隣り合って貼付されている。上述のように、かかる識別ラベル６８ｂ，６８ｃに印字されるＱＲコード７１ａ，７１ｂは同じサイズである。また、画像制御基板２２とサブ接続基板２３の接続状態で、親基板本体４２とサブ接続基板本体５２は面一となるため、かかる識別ラベル６８ｂ，６８ｃは略同じ平面上に配置されている。かかる構成にあっては、読取装置でＱＲコード７１ａ，７１ｂの一方を読み取った後に、そのまま読取装置の撮像エリアを僅かにスライドさせるだけで、他方のＱＲコード７１ａ，７１ｂについては、読取装置のピント合わせを省略して読み取ることができるため、２つの識別ラベル６８ｂ，６８ｃのＱＲコードＱＲコード７１ａ，７１ｂを効率的に読み取りできるという利点がある。なお、本実施例では、識別ラベル６８ｂ，６８ｃが親基板本体４２とサブ接続基板本体５２に貼付されているが、本件第３の発明に係る一対の識別ラベルは、基板ケース上に貼付されたものであってもよい。また、本実施例では、識別情報として各基板ユニット２６，２７に収容される基板２２，２３の名称が識別ラベル６８ｂ，６８ｃに表示されるが、基板２２，２３の名称に限らず、基板ユニット２６，２７の名称を表示したり、基板２２，２３の識別番号などを表示したりしてもよい。また、本件第３の発明に係る一対の識別ラベルに印字されるコードは、ＱＲコードに限られず、読取装置によって光学的に読取可能なコードであればよい。
【００７０】
また、図８，１０に示すように、本実施例では、水平接続用コネクタ４５ｄ，４５ｆのコネクタ開口部５９ｄ，５９ｆの周囲に設けられたコ字状のリブ６５ａ，６５ｃが、水平接続用コネクタ４５ｄ，４５ｆの嵌合・分離に伴って、相互に嵌合・分離する一対の嵌合構造を構成している。本実施例では、水平接続用コネクタ４５ｄ，４５ｆの嵌合時に、かかるリブ６５ａ，６５ｃが嵌合することで、水平接続用コネクタ４５ｄ，４５ｆが外部から隔絶される。具体的には、水平接続用コネクタ４５ｄ，４５ｆは、その上下両側及び背面側をコ字状のリブ６５ａ，６５ｃによって隔絶され、その正面側を、第１ベース部材４０ｂの延出部６４によって隔絶される。ここで、図１０に示すように、各リブ６５ａ，６５ｃの先端には、嵌合方向及び分離方向と直交する端縁７４ａ，７４ｂが夫々形成されているため、水平接続用コネクタ４５ｄ，４５ｆを相互に嵌合させる際に、２つのリブ６５ａ，６５ｃの端縁７４ａ，７４ｂが平行となっているか否かを確認することで、２つの基板２２，２３の水平接続用コネクタ４５ｄ，４５ｆが傾くことなく嵌合しているか否かを判断できるという利点がある。
【００７１】
また、図８，１０に示すように、本実施例では、第１基板ケース４０と第２基板ケース４１の内側に、水平接続用コネクタ４５ｄ，４５ｆの側縁に沿って延びるリブ６５ｂ，６５ｄが内側に形成される。水平接続用コネクタ４５ｄ，４５ｆは、かかるリブ６５ｂ，６５ｄによって、基板ケース４０，４１の内部と隔絶されるため、本実施例の基板ケース４０，４１では、水平接続用コネクタ４５ｄ，４５ｆのコネクタ開口部５９ｄ，５９ｆからケース内に不正工具等を挿入する不正を行い難いという利点がある。さらに言えば、上述のように、水平接続用コネクタ４５ｄ，４５ｆは、嵌合状態において基板ケース４０，４１の外部とも隔絶される。このように、本実施例では、水平接続用コネクタ４５ｄ，４５ｆは、基板ケース４０，４１の内部とも外部とも隔絶されるため、２つの基板ユニット２６，２７の接続部分に対して不正を極めて行い難いという利点がある。また、図８に示すように、第２基板ケース４１側のリブ６５ｄについては、背面視において使用方向表示部６６ｂと重なるように、使用方向表示部６６ｂの配設部位の内側に形成される。このように、リブ６５ｄを使用方向表示部６６ｂと重なるよう配置すれば、不正防止用のリブ６５ｄを利用して、使用方向表示部６６ｂの配設部位における基板ケース４１の強度を高めて、指で押圧された際の撓み量を低減できるという利点がある。
【００７２】
また、本実施例では、第１カバー部材４０ａと第２カバー部材４１ａの背面に形成される使用方向表示部６６ａ，６６ｂの形成部位が白濁した粗面となっているため、２つの基板２２，２３を分離・接続する時に、指を使用方向表示部６６ａ，６６ｂに押し当てて作業し易いという利点がある。また、使用方向表示部６６ａ，６６ｂの透明度が低下するため、使用方向表示部６６ａ，６６ｂを視認し易いという利点もある。
【００７３】
以上に本件第３の発明に係る構成を説明したが、本件第３の発明は、本実施例の形態に限らず本発明の要旨を逸脱しない範囲内において種々変更を加えることができる。例えば、本実施例は、本件第３の発明をスロットマシンに適用したものであるが、本件第３の発明はパチンコ機等の遊技機にも適用可能である。また、本実施例では、画像制御基板２２とサブ接続基板２３が、本件第３の発明に係る第１の基板と第２の基板に対応しているが、本件第３の発明に係る第１の基板と第２の基板は、その他の基板の組合せであってもよい。また、本実施例では、画像制御基板２２とサブ接続基板２３は、水平接続用コネクタ４５ｄ，４５ｆのみによって基板対基板接続されているが、本件第３の発明に係る第１の基板と第２の基板は、基板対基板接続した上で、さらにワイヤハーネスを介して相互接続されたものであってもよい。また、本実施例の画像制御基板２２及びサブ接続基板２３には、背面側のみに電子部品が配設されているが、本件第３の発明に係る第１の基板及び第２の基板は、両面に電子部品が配設されたものであってもよい。
【００７４】
また、本実施例では、使用方向表示部６６ａ，６６ｂが、第１基板ケース４０と第２基板ケース４１の双方に同じ大きさで形成されているが、本件第３の発明に係る使用方向表示部は、異なる大きさであってもよいし、基板ケース４０，４１の一方に形成されるだけであってもよい。また、本実施例では、使用方向表示部６６ａ，６６ｂが両矢印となっているが、本件第３の発明に係る使用方向表示部は、嵌合方向を示す片矢印と、分離方向を示す片矢印の２つで構成されるものであってもよい。また、本件第３の発明に係る使用方向表示部は、嵌合方向又は分離方向を示す１つの片矢印で構成することもできる。嵌合方向と分離方向は逆方向であるため、嵌合方向と分離方向の一方を示すだけで足りるためである。また、本実施例では、本件第３の発明に係る使用方向表示部は、基板ケース４０，４１の外側面にレーザーマーキングされているが、本件第３の発明に係る使用方向表示部は、その他の印刷方法や刻印、ラベルの貼付によって形成されるものでもよいし、基板ケース４０，４１の内側面に形成されるものであってもよい。
【００７５】
次に、本件第２の発明の要部に係る構成について説明する。
【００７６】
上述のように、本実施例では、画像制御基板２２の子基板２２ｂの背面側に識別ラベル６８ａが貼付される。かかる構成のように、子基板２２ｂに識別ラベル６８ａを貼付した場合には、親基板２２ａの外周部に貼付される識別ラベル６８ｂよりも、視認する係員の視点近くに配置されるため、識別ラベル６８ａの視認性を向上させることができる。特に、本実施例では、子基板２２ｂに搭載されたＲＯＭ４４の背面側に識別ラベル６８ａが貼付されるため、子基板本体４３の背面側に貼付される場合よりも、識別ラベル６８ａを視認する係員の視点に近づけることができる。また、本実施例では、子基板２２ｂに貼付される識別ラベル６８ａは、機種名を含んでいるため、親基板２２ａへの識別ラベル６８ｂの貼付を省略して、親基板２２ａのデッドスペースを削減すれば、画像制御基板２２を小型化できる。
【００７７】
また、本実施例では、子基板２２ｂに貼付される識別ラベル６８ａには、識別情報が記録されたＱＲコード７１ａが印字される。かかる構成にあっては、識別情報が記録されたＱＲコード７１ａを、親基板２２ａの識別ラベル６８ｂよりも手前側（背面側）に配置できるため、読取装置をＱＲコード７１ａのより近くで使用できる。また、親基板２２ａの識別ラベル６８ｂのＱＲコード７１ａは、周囲に配設された子基板２２ｂに邪魔されて、読取装置のピント合わせに時間がかかることがあるが、子基板２２ｂの識別ラベル６８ａのＱＲコード７１ａでは、かかる不具合は生じない。したがって、本実施例では、従来構成に比べて、識別情報を記録するＱＲコード７１ａの読取容易性を向上できる。
【００７８】
また、本実施例では、膨隆部６０の頂部６１に放熱用貫通孔６３が形成される。かかる放熱用貫通孔６３は、子基板２２ｂの識別ラベル６８ａを正面（子基板２２ｂの背面側）から視認した時に、識別ラベル６８ａと重ならない位置であって、かつ、識別ラベル６８ｂの近傍に形成される。かかる構成にあっては、識別ラベル６８ａの視認性を阻害することなく、識別ラベル６８ａの周辺の空気を、放熱用貫通孔６３を介して入れ替え可能となるため、周囲の電子機器（ＲＯＭ４４など）が生じる熱によって、識別ラベルが剥離したり、変色したりするのを抑制できる。
【００７９】
また、図１３に示すように、親基板２２ａの背面側には、子基板２２ｂと接続するためのコネクタ４５ｃの上方に、２つの六角スペーサ５７が立設されており、子基板２２ｂは、下辺寄りに配置されたコネクタ４５ｅを、親基板２２ａのコネクタ４５ｃと嵌合させるとともに、上辺側において六角スペーサ５７に螺子５６ｃで固定されている。なお、図７に示すように、六角スペーサ５７は、螺子５６ｄによって親基板２２ａに立設されている。本実施例では、子基板２２ｂは、導電金属からなる螺子５６ｃと六角スペーサ５７を介して接地される。具体的には、図１３に示すように、親基板本体４２の表面には、六角スペーサ５７の立設部位に、ＧＮＤ配線の端部７５ａが露出するとともに、子基板本体４３の表面には、六角スペーサ５７と螺子５６ｃの締結部に、ＧＮＤ配線の端部７５ｂが露出しており、螺子５６ｄと六角スペーサ５７によって子基板２２ｂを固定すると、親基板２２ａと子基板２２ｂのＧＮＤ配線が短絡されるよう構成されている。なお、親基板２２ａのＧＮＤ配線は、図示しないワイヤハーネスによって接地される。
【００８０】
このように、本実施例では、親基板２２ａの上に子基板２２ｂを積層状に保持するための螺子５６ｃや六角スペーサ５７を子基板２２ｂのアース線として利用できるため、子基板２２ｂを接地するための専用のアース線経路が不要となる。なお、本実施例では、螺子５６ｃと六角スペーサ５７を介して親基板２２ａと子基板２２ｂのＧＮＤ配線を短絡しているが、本件第２の発明は、かかる構成に限られず、螺子５６ｃと六角スペーサ５７を介して子基板２２ｂのＧＮＤ配線を、外部のアース線と接続するものであってもよい。
【００８１】
また、上述のように、本実施例では、画像制御基板２２を収容する第１基板ユニット２６は、子基板２２ｂが配置された側が背面側を向くようにして前扉３に配置される。そのため、第１基板ケース４０の背面側には、子基板２２ｂの配設部位で背面側に最も大きく膨出する膨隆部６０が形成されている。本実施例では、かかる第１基板ユニット２６がリールユニット１５に対して適切に近接配置される。具体的には、図１４〜１６に示すように、本実施例では、前扉３の閉止状態で、平面視及び正面視において、第１基板ユニット２６がリールユニット１５と重なるように配置される。ただし、正面視においては、第１基板ユニット２６の下部と、リールユニット１５の上部だけが重なり、膨隆部６０については、平面視でリールユニット１５と重なるものの、正面視ではリールユニット１５と重ならないように配置される。このように配置すれば、リール９ａ〜９ｃを前方に膨出させるリールユニット１５に対して、膨隆部６０を背面側に膨出させる第１基板ユニット２６を、相互に干渉させることなく近接配置して、筐体２の内部スペースを有効活用することができる。
【００８２】
以上に本件第２の発明に係る構成を説明したが、本件第２の発明は、本実施例の形態に限らず本発明の要旨を逸脱しない範囲内において種々変更を加えることができる。例えば、上記実施例は、本発明をスロットマシンに適用したものであるが、本発明はパチンコ機等の遊技機にも適用可能である。また、本実施例では、画像制御基板２２が、本件第２の発明に係る基板装置に対応しているが、本件第２の発明に係る基板装置は、その他の制御基板や中継基板であってもよい。基板の組合せであってもよい。
【００８３】
また、本実施例では、本件第２の発明に係る識別ラベル６８ａが、子基板２２ｂに配設されたＲＯＭ４４に貼付されているが、本件第２の発明に係る識別ラベルは、子基板２２ｂのその他の電子部品や子基板本体４３に貼付されたものであってもよい。また、本実施例では、本件第２の発明に係る識別ラベル６８ａに、識別情報を記録したＱＲコードが印字されているが、本件第２の発明にあって、識別ラベルに印字されるコードは、ＱＲコードに限られず、読取装置によって光学的に読取可能なコードであればよい。
【００８４】
次に、本件第１の発明の要部に係る構成について説明する。
【００８５】
上述のように、サブ接続基板２３には、電源装置１８から供給される電源ラインの通電状態を示す３つのモニタランプ５０ａ〜５０ｃが配設される。各モニタランプ５０ａ〜５０ｃは砲弾型のＬＥＤからなるものであり、図１７に示すように、サブ接続基板本体５２の背面側上部に上下に並設されている。電源装置１８から各機器へは、５Ｖ／２０Ｖ／３０Ｖの３種類の電圧の電源ラインを介して電力が供給されるよう構成されており、３つのモニタランプ５０ａ〜５０ｃは、夫々の点灯状態によって３本の電源ラインの通電状態を個別に示すよう構成されている。具体的には、上部の第１モニタランプ５０ａは、５Ｖの電源ラインの通電中に点灯し、中央の第２モニタランプ５０ｂは、２０Ｖの電源ラインの通電中に点灯し、下部の第３モニタランプ５０ｃは、３０Ｖの電源ラインの通電中に点灯するよう構成されている。
【００８６】
各モニタランプ５０ａ〜５０ｃの点灯状態は、前扉３の開放状態で、前扉３の背面側から、第２基板ケース４１を透して確認可能である。ここで、本実施例では、図１０に示すように、第２カバー部材４１ａの内側面に、内側に突き出る横長のリブ６５ｅが３本形成され、図８，１７に示すように、夫々のリブ６５ｅの端面が、各モニタランプ５０ａ〜５０ｃを背面側から覆うように配置されている。リブ６５ｅは、第２カバー部材４１ａに一体成形された透明なものであるから、本実施例では、モニタランプ５０ａ〜５０ｃの光は、背面側に配置されたリブ６５ｅの端面に入射して、リブ６５ｅの内部を伝搬し散乱することとなる。このため、本実施例では、第２基板ユニット２７の背面側から視認した時に、モニタランプ５０ａ〜５０ｃの光は、ＬＥＤの局所的な点光源というよりも、リブ６５ｅ全体で発光する広範な光源として視認される。このように、本実施例では、モニタランプ５０ａ〜５０ｃの背面側にリブ６５ｅの端面を配置して、モニタランプ５０ａ〜５０ｃの光を拡散光として視認させるため、サブ接続基板２３を点検する際に、モニタランプ５０ａ〜５０ｃの光が点検作業の邪魔になり難いという利点がある。なお、モニタランプ５０ａ〜５０ｃの光はリブ６５ｅによって強度は低下するものの、各モニタランプ５０ａ〜５０ｃの背面側のリブ６５ｅが面発光することによって発光部位は拡大するため、モニタランプ５０ａ〜５０ｃの点灯状態は一層判別し易くなる。このため、本実施例では、３つのモニタランプ５０ａ〜５０ｃが基板上に近接配置されていても、隣り合うモニタランプ５０ａ〜５０ｃの光を混同して、夫々の点灯状態を見誤ることはない。また、リブ６５ｅは、第２カバー部材４１ａケースと一体成形されるものであるから、部品点数を増加させずに実現できるという利点がある。
【００８７】
図１８は、電源装置１８から主要な機器への電力供給回路を示したものである。
上述のように、電源装置１８は外部電源を交流から直流に変換して、５Ｖ／２０Ｖ／３０Ｖの電源電圧の電源ラインを介して各機器に電力を供給する。なお、図示は省略しているが、各電源ラインの電力は、いくつかの機器には、レギュレータ等により所要の電圧に変換された後で、各機器に供給される。図１８に示すように、３本の電源ラインは、電源接続基板８０やサブ接続基板２３、スピーカ接続基板８２、演出用ランプ接続基板８３などの中継基板を経由して各機器に接続される。例えば、メイン制御基板２０には、電源接続基板８０を経由して、５Ｖと３０Ｖの電源ラインが接続される。５Ｖの電源ラインから供給される電力は、メイン制御基板２０のロジック回路の電源に使用され、３０Ｖの電源ラインは、メイン制御基板２０を経由してリールモータ３３などの駆動電力として使用される。また、払出モータ３６には、電源接続基板８０を経由して３０Ｖの電源ラインが接続される。
【００８８】
また、図１８，１９に示すように、３本の電源ラインは、電源装置１８から電源接続基板８０を経由してサブ接続基板２３に接続される。そして、５Ｖの電源ラインは、サブ接続基板２３を経由して、サブ制御基板２１、画像制御基板２２、画像表示器１２、及び役物駆動基板８４と接続されて、それらのロジック回路へ電力を供給する。具体的には、サブ制御基板２１、画像制御基板２２、及び役物駆動基板８４は、サブ接続基板２３から５Ｖの電源ラインが直接接続され、画像表示器１２は、サブ接続基板２３から画像制御基板２２を経由して、５Ｖの電源ラインが接続される。一方、２０Ｖと３０Ｖの２本の電源ラインは、さらに、サブ接続基板２３を経由して、リールバックランプ３５、スピーカ１１ａ〜１１ｄ、演出用ランプ１３ａ，１３ｂ、画像表示器１２、役物駆動モータ１０ｂなどの駆動装置と接続されて、各駆動装置へ駆動電力を供給する。具体的には、リールバックランプ３５には、サブ接続基板２３からサブ制御基板２１を経由して、３０Ｖの電源ラインから駆動電力が供給される。また、スピーカ１１ａ〜１１ｄには、サブ接続基板２３からスピーカ接続基板８２を経由して、２０Ｖの電源ラインから駆動電力が供給される。また、演出用ランプ１３ａ，１３ｂには、サブ接続基板２３から演出用ランプ接続基板８３を経由して、３０Ｖの電源ラインから駆動電力が供給される。また、画像表示器１２には、サブ接続基板２３から画像制御基板２２を経由して、３０Ｖの電源ラインから液晶バックライトに駆動電力が供給される。また、役物駆動モータ１０ｂには、サブ接続基板２３から役物駆動基板８４を経由して、３０Ｖの電源ラインから駆動電力が供給される。
【００８９】
図１９に示すように、サブ接続基板２３に配設された３つのモニタランプ５０ａ〜５０ｃは、サブ接続基板２３が中継する３本の電源ラインに夫々接続される。そして、５Ｖの電源ラインの通電状態では、当該電源ラインから第１モニタランプ５０ａに電力が供給されることにより第１モニタランプ５０ａが点灯し、５Ｖの電源ラインの非通電状態では、当該電源ラインから第１モニタランプ５０ａへの電力供給が停止することにより第１モニタランプ５０ａが消灯する。同様に、２０Ｖの電源ラインの通電状態では、当該電源ラインから第２モニタランプ５０ｂに電力が供給されることにより第２モニタランプ５０ｂが点灯し、２０Ｖの電源ラインの非通電状態では、当該電源ラインから第２モニタランプ５０ｂへの電力供給が停止することにより第２モニタランプ５０ｂが消灯する。また、３０Ｖの電源ラインの通電状態では、当該電源ラインから第３モニタランプ５０ｃに電力が供給されることにより第３モニタランプ５０ｃが点灯し、３０Ｖの電源ラインの非通電状態では、当該電源ラインから第３モニタランプ５０ｃへの電力供給が停止することにより第３モニタランプ５０ｃが消灯する。
【００９０】
このように、本実施例では、サブ接続基板２３の各モニタランプ５０ａ〜５０ｃが、各電源ラインの通電状態に応じて点灯／消灯するため、遊技場のスタッフは、かかるモニタランプ５０ａ〜５０ｃを確認することによって、各機器への電力供給が正常に行われているかを確認できる。ここで、本実施例では、電源スイッチ３１をＯＮからＯＦＦに切り替えて電源装置１８の電源を切断した時に、モニタランプ５０ａ〜５０ｃの消灯タイミングが電源装置１８の電源切断時点から適切な時間遅延するよう構成されている。具体的には、図１９に示すように、各電源ラインにはコンデンサを具備する蓄電装置Ｃ１〜Ｃ９が接続される。かかる蓄電装置Ｃ１〜Ｃ９は、一端を電源ラインに、他端をアースに接続されており、電源装置１８が各電源ラインに電力を供給している時は、電源ラインからの電力供給によって、各蓄電装置Ｃ１〜Ｃ９は、ほぼ満充電状態となり、電源装置１８の電源切断直後は、各蓄電装置Ｃ１〜Ｃ９が、蓄えられた電荷を放出する。そして、本実施例では、電源切断直後に蓄電装置Ｃ１〜Ｃ９が放出した電荷の一部が、モニタランプ５０ａ〜５０ｃが接続されているラインに流入して、モニタランプ５０ａ〜５０ｃの発光に供されることにより、モニタランプ５０ａ〜５０ｃの消灯タイミングが、電源スイッチ３１をＯＦＦに切り替えたタイミングよりも遅延することとなる。
【００９１】
ところで、スロットマシン１の電源切断時において、スピーカ１１ａ〜１１ｄや役物駆動モータ１０ｂなどの駆動装置を制御するサブ制御基板２１のロジック回路への電力供給が停止する前に、当該駆動装置への電力供給が停止すると、サブ制御基板２１の制御処理が停止する前に駆動装置が停止して、駆動装置への制御コマンドが脱落してしまうため、好ましくない。これに対して電源装置１８は、サブ制御基板２１のロジック回路の電源に使用される５Ｖの電源ラインへの電力供給を、サブ制御基板２１が制御する駆動装置に用いられる２０Ｖや３０Ｖの電源ラインよりも先に停止するよう構成される。しかしながら、電源装置１８による、各電源ラインの停止タイミングの時間差は、モニタランプ５０ａ〜５０ｃの消灯タイミングで判別できないほど短くなっている。このため、本実施例では、各電源ラインに接続される蓄電装置Ｃ１〜Ｃ９の放電時間（放電終止までの時間）を適宜設定することにより、各モニタランプ５０ａ〜５０ｃの消灯タイミングの時間差を大きくして、モニタランプ５０ａ〜５０ｃ消灯順序を容易に確認可能としている。
【００９２】
具体的には、本実施例では、５Ｖの電源ラインに接続された蓄電装置Ｃ１〜Ｃ４に比べて、２０Ｖと３０Ｖの各電源ラインに、極めて大きな容量の蓄電装置Ｃ５〜Ｃ９を接続することで、電源切断時に、２０Ｖと３０Ｖの各電力ラインに接続された蓄電装置Ｃ５〜Ｃ９が放電する時間が、５Ｖの電源ラインに接続された蓄電装置Ｃ１〜Ｃ４の放電時間よりも長くなるよう構成されている。これにより、電源切断時に、第２モニタランプ５０ｂと第３モニタランプ５０ｃの消灯タイミングは、第１モニタランプ５０ａの消灯よりも大きく遅延する。具体的には、図２０に示すように、第１モニタランプ５０ａの消灯タイミングは、電源スイッチ３１がＯＦＦに切り替わってから１秒程度しか遅延しないのに対して、第２モニタランプ５０ｂの消灯タイミングは１５〜２０秒も遅延し、第３モニタランプ５０ｃの消灯タイミングは８〜１２秒遅延することとなる。モニタランプ５０ａ〜５０ｃの消灯順序は、消灯時の残像効果による攪乱要因を考慮しても、消灯タイミングに５秒以上の差があれば、十分に判別可能であるため、本実施例のように、第１モニタランプ５０ａが消灯して５秒以上経過してから、他のモニタランプ５０ｂ，５０ｃが消灯するよう構成されていれば、第１モニタランプ５０ａが最初に消灯することを、確実に目視確認できる。
【００９３】
このように、本実施例では、各電源ラインに接続された蓄電装置Ｃ１〜Ｃ９の放電時間に差を設けて、電源切断直後の各モニタランプ５０ａ〜５０ｃの消灯タイミングに明確な差を設けることにより、各モニタランプ５０ａ〜５０ｃの消灯順序を容易に確認できるという利点がある。
【００９４】
特に、本実施例では、５Ｖの電源ラインに接続された蓄電装置Ｃ１〜Ｃ４は、当該電源ラインの、サブ接続基板２３よりも負荷側（制御装置寄り）に接続され、また、２０Ｖと３０Ｖの電源ラインに接続された蓄電装置Ｃ５〜Ｃ９は、当該電源ラインの、サブ接続基板２３よりも負荷側（駆動装置寄り）に接続されている。かかる構成であれば、スロットマシン１に配設される駆動装置の数や消費電力に合わせて、蓄電装置Ｃ１〜Ｃ９の数や容量を容易に設定できるため、電源切断時の各モニタランプ５０ａ〜５０ｃの消灯遅延時間を容易に設定できるという利点がある。
【００９５】
以上に本件第１の発明に係る構成を説明したが、本件第１の発明は、本実施例の形態に限らず本発明の要旨を逸脱しない範囲内において種々変更を加えることができる。例えば、上記実施例は、本発明をスロットマシンに適用したものであるが、本発明はパチンコ機等の遊技機にも適用可能である。また、本実施例では、サブ接続基板２３にモニタランプ５０ａ〜５０ｃが配設されているが、本件第１の発明に係るモニタランプは、メイン制御基板２０や電源接続基板８０などに配設されていてもよい。また、本実施例では、電源装置１８の電源切断後のモニタランプ５０ａ〜５０ｃの消灯の遅延が、第１モニタランプ５０ａでは１秒程度、第２モニタランプ５０ｂでは１５〜２０秒、第３モニタランプ５０ｃでは８〜１２秒となるよう構成されているが、本件第１の発明は、かかる遅延時間に限られず、電源切断後に、第１のモニタランプ（第１モニタランプ５０ａ）よりも、第２のモニタランプ（第２モニタランプ５０ｂ又は第３モニタランプ５０ｃ）が遅れて消灯することが容易に確認できる程度であればよい。なお、蓄電装置Ｃ５〜Ｃ９の放電時間は、本実施例のように、電源切断後のモニタランプ５０ｂ，５０ｃの消灯遅延時間が３０秒以内となるように設定することが望ましい。蓄電装置Ｃ５〜Ｃ９の放電時間を長くしすぎると、駆動装置が無制御状態で駆動可能な状態が継続され、何らかの原因で故障するおそれが大きくなるためである。
【００９６】
また、上記実施例では、サブ制御基板２１が本件第１の発明に係る制御装置に相当し、役物駆動モータ１０ｂ、スピーカ１１ａ〜１１ｄ、演出用ランプ１３ａ，１３ｂ、およびリールバックランプ３５が本件第１の発明に係る制御装置に相当するが、本件第１の発明は、これらの制御装置と駆動装置の組み合わせ以外にも適用可能である。また、上記実施例では、５Ｖの電源ラインは専らロジック回路に電力を供給し、２０Ｖと３０Ｖの電源ラインは専ら駆動装置に駆動電力を供給しているが、本件第１の発明に係る第１の電源ラインは、一部の電力をロジック回路以外に供給するものであってもよいし、本件第１の発明に係る第２の電源ラインは、一部の電力を駆動装置以外に供給するものであってもよい。
【００９７】
また、本実施例では、全てのモニタランプ５０ａ〜５０ｃの背面側にリブ６５ｅの端面が配置されているが、本件第１の発明は、一部のモニタランプ５０ａ〜５０ｃの背面側のみにリブ６５ｅの端面が配置される構成を含む。例えば、第１モニタランプ５０ａの背面側にはリブ６５ｅの端面を配置せず、第２モニタランプ５０ｂと第３モニタランプ５０ｃの背面側にリブ６５ｅの端面を配置することが提案される。かかる構成とした場合には、リブ６５ｅを介さず直接的に視認される第１モニタランプ５０ａの光と、リブ６５ｅを介して間接的に視認される第２モニタランプ５０ｂ及び第３モニタランプ５０ｃの光を容易に区別可能となるため、上述のように、電源切断時に、第１モニタランプ５０ａと、その他のモニタランプ５０ｂ，５０ｃの点灯順序を確認するにあたって、モニタランプ５０ａ〜５０ｃの誤認を防止できる。
【符号の説明】
【００９８】
１  スロットマシン（遊技機）
２  筐体
３  前扉
９ａ，９ｂ，９ｃ  リール
１０ｂ  役物駆動モータ
１１ａ〜１１ｄ  スピーカ
１２  画像表示器
１３ａ，１３ｂ  演出用ランプ
１５  リールユニット
１８  電源装置
２１  サブ制御基板
２２  画像制御基板
２２ａ  親基板
２２ｂ  子基板
２３  サブ接続基板
２６  第１基板ユニット
２７  第２基板ユニット
３５  リールバックランプ
３６  払出モータ
４０  第１基板ケース
４１  第２基板ケース
４２  親基板本体
４３  子基板本体
４５ａ〜４５ｍ  コネクタ
５０ａ〜５０ｃ  モニタランプ
６０  膨隆部
６１  頂部
６３  放熱用貫通孔
６５ａ〜６５ｅ  リブ
６６ａ，６６ｂ  使用方向表示部
６８ａ〜６８ｃ  識別ラベル
７１ａ，７１ｂ  ＱＲコード
Ｃ１〜Ｃ４  蓄電装置（第１の蓄電装置）
Ｃ５〜Ｃ９  蓄電装置（第２の蓄電装置）
【要約】
【課題】電源ユニットの電源切断時に、個々の電源ラインの通電状態を示すモニタランプの消灯順序を確認し易い遊技機を提供する。
【解決手段】制御装置のロジック回路に電力を供給する第１の電源ラインと、制御装置によって制御される駆動装置に駆動電力を供給する第２の電源ラインとが接続される基板に、第１の電源ラインの通電状態を示す第１のモニタランプと、第２の電源ラインの通電状態を示す第２のモニタランプとを配設する。そして、電源装置の電源切断直後に、蓄えた電荷を第１のモニタランプへ供給する第１の蓄電装置と、蓄えた電荷を第２のモニタランプへ供給する第２の蓄電装置とを配設し、第２の蓄電装置の放電時間を、第１の蓄電装置よりも長くすることで、電源装置の電源切断直後に、第２のモニタランプの消灯が、第１のモニタランプの消灯よりも遅延するよう構成する。
【選択図】図２０【図１】
0006793987.tif 000002
【図２】
0006793987.tif 000003
【図３】
0006793987.tif 000004
【図４】
0006793987.tif 000005
【図５】
0006793987.tif 000006
【図６】
0006793987.tif 000007
【図７】
0006793987.tif 000008
【図８】
0006793987.tif 000009
【図９】
0006793987.tif 000010
【図１０】
0006793987.tif 000011
【図１１】
0006793987.tif 000012
【図１２】
0006793987.tif 000013
【図１３】
0006793987.tif 000014
【図１４】
0006793987.tif 000015
【図１５】
0006793987.tif 000016
【図１６】
0006793987.tif 000017
【図１７】
0006793987.tif 000018
【図１８】
0006793987.tif 000019
【図１９】
0006793987.tif 000020
【図２０】
0006793987.tif 000021